(57)【要約】【課題】  吸引した汚水の回収に際して、いちいちタンクを上げ下げしたり、移動させたりする必要がなく、如何なる場所においてもタンク内の汚水の取り出しを簡単に、且つ、衛生的に行えるように工夫した汚水吸引装置を提供する。【解決手段】  汚水吸引装置１における汚水回収タンク８を、昇降機ＸＺによって台車本体１Ｚに対して上側位置と、下側位置に昇降できるようにして、汚水回収タンク８の底面部には汚水排水用の可撓性の排水管（排水ホース７）を設ける。【選択図】      図２
2005046336.tif 000002
【特許請求の範囲】
【請求項１】
走行しながらブロアーの吸引力をスキージに及ぼして床面上の汚水を吸引し、吸引した汚水を汚水回収タンクに回収するように構成すると共に、汚水回収タンクの底部には回収した汚水を外部に排水する可撓性の排水管を設けた汚水吸引装置であって、
走行用の車輪を備えた台車本体上に、上記の汚水回収タンクと、この汚水回収タンクを上下方向に昇降することができる昇降機を設けて、上記スキージが汚水を吸引する吸引運転時には、上記の昇降機を下降させて汚水回収タンクを上記台車本体側の下側位置に固定し、一方、汚水回収タンクに回収した汚水を排水する汚水排水時には、上記可撓性の排水管を斜め下方に向けた排水状態に屈曲できるように、上記昇降機を上昇させて汚水回収タンクを上記台車本体上方の上側位置に上昇するように構成したことを特徴とする汚水吸引装置。
【請求項２】
台車本体に、昇降機を常時上昇方向に付勢する付勢手段と、昇降機を降下させることによって上記付勢手段の付勢力に抗して下側位置に降下した汚水回収タンクを、その位置に固定する固定手段を設けたことを特徴とする請求項１に記載の汚水吸引装置。
【請求項３】
昇降機が、中間部を回動自在に連結した複数本の昇降レバーと、各昇降レバーの上端部に取付けられた汚水回収タンク取付用の昇降板とによって構成され、付勢手段が、一本又は複数本の昇降レバーを常時上昇方向に弾発付勢することによって、昇降板を常時上昇方向に付勢するバネによって構成されていることを特徴とする請求項１又は２に記載の汚水吸引装置。
【発明の詳細な説明】
【技術分野】
【０００１】
本発明は、例えば床面を洗浄水とブラシを用いて洗浄した後に、床面上に残った洗浄汚水をブロアーの吸引力を利用してタンクに吸引回収する汚水吸引装置に関し、具体的には、タンクに回収した洗浄汚水の排水を簡単に行うことができるように工夫した汚水吸引装置に関するものである。
【背景技術】
【０００２】
洗浄水とブラシを用いて床面を洗浄した後に、床面上に残る洗浄汚水を吸引回収することは、洗浄した床面をきれいに保つために重要なことである。そこで従来は、特許文献１に記載されているような「乾湿両用型電気掃除機」や、特許文献２に記載されているような「台車型モップ脱水及び床面吸引清掃装置」を用いて、床面の洗浄及び清掃と、床面上に残った洗浄汚水の吸引回収を行っていた。
【０００３】
上記特許文献１に記載された電気掃除機は、掃除機本体内にブロアーと、ブロアーの吸引力が及ぼされる集塵室とを設ける一方、先端部にスキージを取付けた吸引ホースを集塵室に接続して、集塵と洗浄水の吸引を行う仕組に成っている。しかし、回収した洗浄汚水を掃除機の外部に取り出すには、集塵室（汚水タンク）を掃除機本体から取り外し、この集塵室を逆さにして洗浄水を外部の容器等に取り出すか、或は、別に用意したポンプで汲み出す等の処置を講じる必要がある。従って、排水処理に際しては、汚水が入った重いタンク（集塵室）を手で持ち上げなくてはならないため、力が強い者でないと作業が難しい問題があり、また、汚水で手が汚れたり、汚水が飛散して衣類や周囲を汚したりする等の問題があった。
【０００４】
また、上記特許文献２に記載の床面吸引清掃装置は、台車に対してブロアー、回収タンク、並びにスキージを取付けて、ハンドルを操作して台車を移動させながら汚水を吸引回収するように構成されていて、汚水回収タンクが吸引した汚水で満タンになると、集塵機本体を持ち上げてタンクを取り出し、別のタンクと交換するように構成されている。
【０００５】
従って、汚水が入った重いタンクを台車から降ろしたり、また、新たなタンクを積み込んだりする必要があって、大変に手間が掛かる問題があった。更に、汚水の入ったタンクの積み降ろしには大変な労力を必要とすると共に、不衛生で危険でもあり、更には、タンクを降ろすための特別な装置や器具も必要となる問題もあって、その改善が望まれていた。
【０００６】
【特許文献１】特開平６−３０４０９６号公報
【特許文献２】特開平９−２１５６４５号公報
【発明の開示】
【発明が解決しようとする課題】
【０００７】
そこで本発明が解決しようとする技術的課題は、吸引した汚水の回収に際して、いちいちタンクを上げ下げしたり、移動させたりする必要がなく、如何なる場所においてもタンク内の汚水の取り出しを簡単に、且つ、衛生的に行えるように工夫した汚水吸引装置を提供することである。
【０００８】
（１）  上記の技術的課題を解決するために、本発明に係る汚水吸引装置は、前記請求項１に記載の如く、走行しながらブロアーの吸引力をスキージに及ぼして床面上の汚水を吸引し、吸引した汚水を汚水回収タンクに回収するように構成すると共に、汚水回収タンクの底部には回収した汚水を外部に排水する可撓性の排水管を設けた汚水吸引装置であって、走行用の車輪を備えた台車本体上に、上記の汚水回収タンクと、この汚水回収タンクを上下方向に昇降することができる昇降機を設けて、上記スキージが汚水を吸引する吸引運転時には、上記の昇降機を下降させて汚水回収タンクを上記台車本体側の下側位置に固定し、一方、汚水回収タンクに回収した汚水を排水する汚水排水時には、上記可撓性の排水管を斜め下方に向けた排水状態に屈曲できるように、上記昇降機を上昇させて汚水回収タンクを上記台車本体上方の上側位置に上昇するように構成したことを特徴とする。
【０００９】
（２）  また、本発明に係る汚水吸引装置は、前記請求項２に記載の如く、台車本体に、昇降機を常時上昇方向に付勢する付勢手段と、昇降機を降下させることによって上記付勢手段の付勢力に抗して下側位置に降下した汚水回収タンクを、その位置に固定する固定手段を設けたことを特徴とする。
【００１０】
（３）  更に本発明に係る汚水吸引装置は、前記請求項３に記載の如く、昇降機が、中間部を回動自在に連結した複数本の昇降レバーと、各昇降レバーの上端部に取付けられた汚水回収タンク取付用の昇降板とによって構成され、付勢手段が、一本又は複数本の昇降レバーを常時上昇方向に弾発付勢することによって、昇降板を常時上昇方向に付勢するバネによって構成されていることを特徴とする。
【発明の効果】
【００１１】
上記（１）で述べた請求項１に係る発明によれば、走行しながら床面上の汚水を吸引回収できると共に、汚水回収タンク内に汚水が満ちて、タンクから外部の排水容器や排水溝に取り出す必要が生じた場合には、排水容器が置かれている場所や排水溝の場所に該吸引装置を走行させて運び、台車本体上のタンクを昇降機により上昇させ、且つ、タンク底部に設けられた可撓性の排水管をタンク底部より下方に向けて傾斜させて、その先端部を排水容器や排水溝に向ければ、タンク内の汚水は自然に流れて容易に排出される。この場合、可撓性排水管をタンク底部方向に傾斜させながらその先端部を外部排水容器や排水溝に注ぐだけでよいので、タンクを持ち上げたり、移動したりする余分な力が不要であるから、汚水の排水処理を比較的簡単に、且つ、手や衣類、或は、周囲を汚すことなく衛生的に済ませることができる。
【００１２】
また、上記（２）で述べた請求項２に係る発明によれば、汚水の取り出しと回収が終れば、可撓性の汚水排水管を再び上向きにして元の位置に戻し、また、汚水回収タンクを昇降機の上方への付勢に抗して下降させ、下降した位置で固定手段により汚水回収タンクを固定すれば、その状態において、再び床面の汚水吸引作業を行うことができると共に、汚水回収タンクが低い位置に固定されるから、低い位置での安定した作業を可能にして、汚水吸引装置の作業性を向上させることができる。
【００１３】
更に上記（３）で述べた請求項３に係る発明によれば、モータのような動力を一切使用せずに、複数本の昇降レバーと昇降板、及び、バネによって汚水回収タンクを昇降させる昇降機を構成できるため、比較的安いコストで高い性能の汚水吸引装置を提供することができる。
【発明を実施するための最良の形態】
【００１４】
以下に、上述した本発明に係る汚水吸引装置の最良の形態を図面と共に説明すると、図１は本発明の外観を説明した側面図、図２は汚水回収タンクを上昇して汚水を排水している状態を説明した側面図、図３は汚水回収タンクを上昇させた状態を説明した正面図、図４は昇降機の構成を説明した側面図であって、これ等の図面において、符号１にて総体的に示した汚水吸引装置の全体は、内部が汚水回収タンク８に成っている装置本体１Ａと、上面にこの装置本体１Ａを搭載するスペ−スを有し、且つ、走行用の車輪２，３を備えた台車本体１Ｚとによって構成されている。
【００１５】
汚水回収タンク８に成っている上記装置本体１Ａの内部には、支持フレーム１Ｘに支持された状態で汚水吸引用のブロアー９と、そのモータ１０が取付けられている。９Ｘはブロアー９の吸引作用（排気作用）を上記汚水回収タンク８内を通して後述するスキージに及ぼす吸気筒、９Ｚは吸引した汚水がブロアー９側へ吸引されるのを防止するフロート弁を示す。また、１Ｂは汚水回収タンク８の上蓋、４は装置本体１Ａの後部に設けた運転用のハンドルである。
【００１６】
５は床面に接して汚水を吸引するスキージ、５Ｔはスキージ昇降レバー、６は下端部にこのスキージ５を取付けた可撓性のスキージホース、６Ａはスキージホース６の上端部に取付けた接続筒、６Ｂは上記汚水回収タンク８に通じるように上記装置本体１Ａの前面に突設したカバー筒で、このカバー筒６Ｂの内部には、先端を上記の接続筒６Ａに接続し、内端側を開口部６Ｈ（図３参照）を通して上記汚水回収タンク８内に挿入した可撓性の吸引ホース６Ｘ（図２参照）が引出し自在に収められていて、図２に示すように台車本体１Ｚに対して装置本体１Ａ（汚水回収タンク８）が上昇した場合でも、上記の吸引ホース６Ｘが引出されて、汚水回収タンク８に対する上記スキージホース６の連通状態を維持することができるように構成されている。
【００１７】
７は根端部を上記装置本体１Ａの底部、具体的には、汚水回収タンク８の底部に接続したドレーン排出管を兼ねる可撓性の排水ホース（排水管）、７Ａはこの排水ホース７の先端部に取付けた排水口、７Ｂは排水口７Ａに取付けた開閉バルブで、図１に示した吸引運転時の状態では、排水ホース７は排水口７Ａに取付けた吊下げ紐７Ｈ又バンドを装置本体１Ａ側に設けたフック１Ｓに引掛けることにより、全体が排水口７Ａを上方に向けた略Ｌ字状態に保持されて、汚水の漏出を防止している。
【００１８】
図２乃至図４において、夫々符号ＸＺで全体的に示したのは、上記装置本体１Ａ（汚水回収タンク８）を上下方向に昇降する昇降機で、この昇降機ＸＺは装置本体１Ａの底面１Ｋに対して左右２組設けられている。
【００１９】
これ等左右２組の昇降機ＸＺは、全体が略ボックス状に造られている上記台車本体１Ｚの内部に収まる構造に成っていて、夫々中間部を軸１８によって略Ｘ状に、且つ、回動自在に連結した一方及び他方の２本の昇降レバー１４，１５と、昇降機ＸＺを常時上昇方向に付勢する付勢手段（バネ）としてのガススプリング１６と、装置本体１Ａの底面１Ｋの両側に取付けた昇降板１３とによって構成されている。
【００２０】
更に具体的に上記昇降機ＸＺの構成を説明すると、略Ｘ状に連結した一方の昇降レバー１４の上端部は、上記昇降板１３の後部に設けたブラケット１３Ｂに軸１４Ａを用いて回動自在に連結されている。また、その下端部には、台車本体１Ｚの内底板上で前後方向に転動自在なガイドローラ１４Ｒが、軸１４Ｂを用いて回転自在に取付けられている。
【００２１】
また、他方の昇降レバー１５の上端部には、上記昇降板１３の底面に沿って前後方向に転動自在なガイドローラ１５Ｒが、取付軸１５Ａを用いて回転自在に取付けられ、且つ、この取付軸１５Ａの先端部が、上記昇降板１３の略Ｌ字状屈曲形成した側面部に前後方向に長く形成したガイド長孔１３Ａの内部にスライド自在に嵌込まれていて、他方の昇降レバー１５の回動とガイドローラ１５Ｒの転動を安定した状態で行うように構成されている。また、他の昇降レバー１５の下端部は、前記車輪２（後輪）の車軸２Ｋに回動自在に取付けられている。
【００２２】
更に上述した付勢手段（バネ）としてのガススプリング１６は、上端部を連結軸１６Ａを用いて上記一方の昇降レバー１４の上部側に回動自在に連結し、このガススプリング１６内に充填したガスの圧力によって、常時軸方向（長手方向）に突出するように構成した伸縮レバー１６Ｈの先端部を、上記台車本体１Ｚの内底部に取付けた固定ブラケット１７に対して連結軸１６Ｂを用いて回動自在に連結した構造に成っている。そして、上記ガス圧による伸縮レバー１６Ｈの突出作用を受けて、各昇降レバー１４，１５を常時図２に示した上昇状態に回動する力が付勢されていて、装置本体１Ａ即ち汚水回収タンク８の全体を、常時図示した台車本体１Ｚの上側位置に水平に上昇させるように構成されている。
【００２３】
更に図中、１１と１２は上記台車本体１Ｚの後部上側縁部分と、上記装置本体１Ａの後部下側縁部分に設けた固定手段としての引掛リングと引掛フックであって、装置本体１Ａを図１に示すように押圧降下して引掛リング１１を引掛フック１２に引掛けると、上記昇降機ＸＺのガススプリング１６の弾発力（付勢力）に抗して昇降機ＸＺを図４の実線に示したように圧縮した折畳状態にして、装置本体１Ａを台車本体１Ｚの上側面に載置した下側位置に固定し、汚水吸引装置１の全体を汚水吸引運転時の状態にすることができる。
【００２４】
一方、上記引掛リング１１を引掛フック１２から外した場合には、ガススプリング１６の伸縮レバー１６Ｈの伸長によって、昇降機ＸＺの全体が図２と図３並びに図４の仮想線に示すように上昇状態に起立状態に回動するため、装置本体１Ａをこれ等各図に示すように台車本体１Ｚの上方で、且つ、回収した汚水の排水に適した上側位置に上昇することができる。
【００２５】
汚水回収タンク８内の汚水ＤＷ（図２参照）を外部に排水する時は、吊下げ紐７Ｈをフック１Ｓから外した後、排水口７Ａが排水容器ＢＫの内部や排水溝（図示省略）の内部に向くように、可撓性の排水ホース７を図２の仮想線に示すように斜め下方に屈曲して、開閉バルブ７Ｂを開けば、汚水回収タンク８内の汚水ＤＷを、ポンプを使用したり汚水回収タンク８を逆さにしたりすることなく、自然に排水容器ＢＫ或は排水溝に排水することができる。
【００２６】
排水終了後は、再び装置本体１Ａを昇降機ＸＺのガススプリング１６の上昇付勢力（弾発力）に抗して、台車本体１Ｚに向けて押圧降下すると共に、引掛リング１１を引掛フック１２に引掛けると共に、排水ホース７を起立状態に屈曲して吊下げ紐７Ｈをフック１Ｓに引掛ければ、図１に示した元の汚水吸引連結の状態に戻すことができる。
【産業上の利用可能性】
【００２７】
図１乃至図４に示した実施の形態には、本発明を床面上の汚水を吸引する汚水吸引機に用いた場合の構成が示されている。しかし、本発明は図示したものと同様の構成を用いて、台車本体１Ｚの底面に床面洗浄用の回転ブラシと、洗浄水給水装置とを設けた公知の床面洗浄機（スクラバー）にも実施可能である。
【図面の簡単な説明】
【００２８】
【図１】本発明に係る汚水吸引装置の外観を説明した側面図。
【図２】汚水回収タンクを上昇させて汚水を排水する状態を説明した側面図。
【図３】図２の状態を正面側から見た図。
【図４】昇降機の昇降状態を説明した説明図。
【符号の説明】
【００２９】
１          汚水吸引装置
１Ａ        装置本体
１Ｚ        台車本体
２，３      車輪
５          スキージ
６          可撓性のスキージホース
７          可撓性の排水ホース
８          汚水回収タンク
９          ブロアー
１１        引掛リング
１２        引掛フック
ＸＺ        昇降機
１３        昇降板
１４，１５  昇降レバー
１６        付勢手段としてのガススプリング
【図１】
2005046336.tif 000003
【図２】
2005046336.tif 000004
【図３】
2005046336.tif 000005
【図４】
2005046336.tif 000006